(57)【要約】【課題】大掛かりな作業を要することなく新たな壁パネルを施工可能でありながらも、新たな壁パネルの入隅側の端部を安定的に保持し得るパネル端部保持構造を提供する。【解決手段】建物の入隅７を形成する既設壁パネル５，５の各表面６，６に沿わせて配された上貼壁パネル１０，１０の入隅側の端部１２，１２を保持するパネル端部保持構造１であって、前記入隅における既設壁パネルの壁下地３に止具８によって固定された端部保持部材１５に、一方の上貼壁パネル１０Ａの入隅側の端部の表面１１に入隅側の端面１３を対向させるように配された他方の上貼壁パネル１０Ｂの入隅側の端部を保持させた構造とされている。【選択図】図１
2018053576.tif 000002
【特許請求の範囲】
【請求項１】
建物の入隅を形成する既設壁パネルの各表面に沿わせて配された上貼壁パネルの入隅側の端部を保持するパネル端部保持構造であって、
前記入隅における既設壁パネルの壁下地に止具によって固定された端部保持部材に、一方の上貼壁パネルの入隅側の端部の表面に入隅側の端面を対向させるように配された他方の上貼壁パネルの入隅側の端部を保持させた構造とされていることを特徴とするパネル端部保持構造。
【請求項２】
請求項１において、
前記端部保持部材は、前記入隅を形成する既設壁パネルのうちの一方の表面に沿わせられた部位を厚さ方向に貫通させた止具によって前記壁下地に固定されていることを特徴とするパネル端部保持構造。
【請求項３】
請求項１において、
前記端部保持部材は、前記入隅を形成する既設壁パネルの各表面に沿わせられた片部を有し、かつ、これら片部に対して斜め状にコーナー部を貫通させた止具によって前記壁下地に固定されていることを特徴とするパネル端部保持構造。
【請求項４】
請求項１乃至３のいずれか１項において、
前記端部保持部材は、前記一方の上貼壁パネルの入隅側の端面と既設壁パネルの表面との間に配された第１端面片部と、この第１端面片部に連なるように設けられ、前記一方の上貼壁パネルの入隅側の端部の表面と前記他方の上貼壁パネルの入隅側の端面との間に配された第２端面片部と、この第２端面片部に連なるように設けられ、前記他方の上貼壁パネルの入隅側の端部の表面に当接された押さえ片部と、を備えていることを特徴とするパネル端部保持構造。
【請求項５】
請求項１乃至３のいずれか１項において、
前記端部保持部材は、前記入隅を形成する既設壁パネルの各表面に沿わせられた片部を有しており、
前記一方の上貼壁パネルの入隅側の端部が止具によって前記端部保持部材の一方の片部に固定され、前記他方の上貼壁パネルの入隅側の端部が止具によって前記端部保持部材の他方の片部に固定されていることを特徴とするパネル端部保持構造。
【発明の詳細な説明】
【技術分野】
【０００１】
本発明は、壁パネルの端部を保持するパネル端部保持構造に関する。
【背景技術】
【０００２】
従来より、建物の内壁を構成する壁パネルは、ねじ等の止具によって壁下地に固定される。
例えば、下記特許文献１には、それぞれが入隅部の各壁に固定される一対の取付辺を略直交させ、一方の取付辺との間に壁材の厚さに応じた間隔を空けて支持辺を設けたコーナージョイナーが開示されている。
【先行技術文献】
【特許文献】
【０００３】
【特許文献１】実開平２−１３４２４５号公報
【発明の概要】
【発明が解決しようとする課題】
【０００４】
ところで、断熱性や遮音性等の種々の機能性を内壁に付与したい際や、内壁の模様替え等を行いたい際には、既設の壁パネルを撤去し、新たに壁パネルを施工することも考えられるが、大掛かりな作業が必要となる。そこで、既設の壁パネルの表面に沿わせて新たな壁パネルを上貼状に設けることが考えられる。この場合、入隅を形成する新たな壁パネルの入隅側の端部のうちの特に一方の壁パネルの端部の表面に端面が突き合わせられる他方の壁パネルの端部を安定的に固定し難くなることが考えられる。つまり、一方の壁パネルの厚さに応じた寸法分、他方の壁パネルが反入隅側に配されることとなるため、この他方の壁パネルの入隅側の端部を、入隅の既存の壁下地に固定し難くなることが考えられる。
【０００５】
本発明は、上記実情に鑑みてなされたものであり、大掛かりな作業を要することなく新たな壁パネルを施工可能でありながらも、新たな壁パネルの入隅側の端部を安定的に保持し得るパネル端部保持構造を提供することを目的としている。
【課題を解決するための手段】
【０００６】
上記目的を達成するために、本発明に係るパネル端部保持構造は、建物の入隅を形成する既設壁パネルの各表面に沿わせて配された上貼壁パネルの入隅側の端部を保持するパネル端部保持構造であって、前記入隅における既設壁パネルの壁下地に止具によって固定された端部保持部材に、一方の上貼壁パネルの入隅側の端部の表面に入隅側の端面を対向させるように配された他方の上貼壁パネルの入隅側の端部を保持させた構造とされていることを特徴とする。
【発明の効果】
【０００７】
本発明に係るパネル端部保持構造は、上述のような構成としたことで、大掛かりな作業を要することなく新たな壁パネルを施工可能でありながらも、新たな壁パネルの入隅側の端部を安定的に保持することができる。
【図面の簡単な説明】
【０００８】
【図１】本発明の一実施形態に係るパネル端部保持構造の一例を模式的に示す一部破断概略横断面図である。
【図２】（ａ）、（ｂ）は、同パネル端部保持構造の施工手順の一例を模式的に示す一部破断概略横断面図である。
【図３】（ａ）、（ｂ）は、本発明の他の実施形態に係るパネル端部保持構造の一例の施工手順の一例を模式的に示す一部破断概略横断面図、（ｃ）は、同パネル端部保持構造を模式的に示す一部破断概略横断面図である。
【図４】（ａ）、（ｂ）は、本発明の更に他の実施形態に係るパネル端部保持構造の一例の施工手順の一例を模式的に示す一部破断概略横断面図、（ｃ）は、同パネル端部保持構造を模式的に示す一部破断概略横断面図である。
【図５】（ａ）〜（ｃ）は、本発明の更に他の実施形態に係るパネル端部保持構造の一例をそれぞれ模式的に示す一部破断概略横断面図である。
【発明を実施するための形態】
【０００９】
以下に本発明の実施の形態について、図面に基づいて説明する。
なお、一部の図では、他図に付している詳細な符号の一部を省略している。
図１及び図２は、第１実施形態に係るパネル端部保持構造の一例を模式的に示す図である。
本実施形態に係るパネル端部保持構造１は、図１及び図２に示すように、建物の入隅７を形成する既設壁パネル５，５の各表面６，６に沿わせて配された上貼壁パネル１０（１０Ａ），１０（１０Ｂ）の入隅側の端部１２，１２を保持する構造とされている。
このパネル端部保持構造１が適用される建物としては、戸建住宅や集合住宅等の住宅に限られず、商業施設や公共施設等の他の建物でもよい。
【００１０】
既設壁パネル５，５は、各表面６，６が既設の内壁（上貼前の内壁）の壁面を構成し、適宜の壁下地２，３，４にねじや釘等の止具によって固定されている。壁下地２，３，４は、建物の構造（木造軸組構造や枠組壁構造、鉄骨構造等）に応じて適宜の構成とされ、例えば、ＬＧＳ（軽量形鋼）等の鋼製下地（鉄骨下地）や、木造下地でもよい。図例では、壁下地２，３，４として、入隅７における壁下地を構成する受桟３，３を柱（スタッド）２の入隅７側の角部を形成する各側面に固定した例を示している。また、入隅７の柱２から壁幅方向に間隔を空けて複数の間柱（スタッド）４を設けた例を示している。
また、既設壁パネル５，５としては、一般的な壁下地ボードでもよく、例えば、石膏ボード（プラスターボード）や、けい酸カルシウム板、火山性ガラス質複層板等の無機系ボードでもよい。また、既設壁パネル５，５としては、このような無機系ボードに限られず、合板等の木質積層板、パーティクルボード等の木質ボードでもよく、さらにはインシュレーションボードやＭＤＦ（中密度繊維板）、ハードボード等の木質繊維板でもよい。
また、既設壁パネル５，５の表面６，６は、壁クロス等の壁仕上材の表面でもよく、このような壁仕上材が剥離された表面でもよい。
【００１１】
上貼壁パネル１０，１０は、既設壁パネル５，５の表面６，６を覆うように配設されている。これら上貼壁パネル１０，１０の表面１１，１１は、新設の内壁の壁面を構成するものでもよい。また、これら上貼壁パネル１０，１０の表面１１，１１に設けられた壁クロス等の壁仕上材が新設の内壁の壁面を構成するものでもよい。
これら上貼壁パネル１０，１０は、一方の上貼壁パネル１０（１０Ａ）の入隅側の端部（壁幅方向一方の端部）１２の表面１１に他方の上貼壁パネル１０（１０Ｂ）の入隅側の端面（壁幅方向一方の端面）１３を対向させるように配した状態で設けられている。また、このように施工された状態では、他方の上貼壁パネル１０（１０Ｂ）の端部１２の厚さ方向裏面側には、この端部１２を固定する止具を止着（捩じ込みまたは打ち込み）可能な壁下地３が存在しない構成とされている。
【００１２】
また、これら上貼壁パネル１０，１０は、既設壁パネル５，５の改装用として設けられたものでもよく、内壁に種々の機能（例えば、断熱機能や、吸音機能、防音機能、調湿（吸湿放湿）機能等）を付与するために設けられたものでもよい。このような上貼壁パネル１０，１０としては、既設壁パネル５，５と同様のものでもよく、各種の機能性部材１４を内蔵した断熱パネルや吸音パネル、防音パネル、調湿パネル等でもよい。例えば、上貼壁パネル１０を、機能性部材１４として、芯材をガスバリア性の包装材で外装して真空吸引することにより形成された真空断熱材を内蔵した断熱パネルとしてもよい。また、このような上貼壁パネル１０としては、表面側（室内空間側）に配される上記同様な壁下地ボードからなる面材の裏面側に、機能性部材１４としての真空断熱材を設け、その周囲に発泡ウレタン等の発泡系断熱材が充填等されて設けられたものでもよい。この場合は、発泡系断熱材の堰となる枠状部材や裏面側シートが設けられたものでもよい。
【００１３】
また、パネル端部保持構造１は、入隅７における既設壁パネル５，５の壁下地３，３に上記同様な止具８によって端部保持部材１５を固定した構造とされている。また、パネル端部保持構造１は、この端部保持部材１５に、一方の上貼壁パネル１０（１０Ａ）の入隅側の端部１２の表面１１に入隅側の端面１３を対向させるように配された他方の上貼壁パネル１０（１０Ｂ）の入隅側の端部１２を保持させた構造とされている。なお、以下では、一方の上貼壁パネル１０（１０Ａ）を、第１上貼壁パネル１０Ａとし、他方の上貼壁パネル１０（１０Ｂ）を、第２上貼壁パネル１０Ｂとして原則的に説明する。
【００１４】
端部保持部材１５は、入隅７に沿って上下に長尺状とされ、全長に亘って一様な断面形状とされている。この端部保持部材１５の長さ寸法は、入隅７の上下方向の全体に亘る長さでもよく、また、上貼壁パネル１０（１０Ａ），１０（１０Ｂ）の上下端部の保持構造に応じて、適宜の長さとされたものでもよい。例えば、上貼壁パネル１０（１０Ａ），１０（１０Ｂ）の上下端部を押さえるように保持する上下端部押さえ部材が天井側や床側に設けられている場合には、端部保持部材１５の長さを、このような上下端部押さえ部材に干渉しないような長さとしてもよい。
また、この端部保持部材１５は、入隅７に沿って上下に一連状に設けられたものでもよく、複数に分割されたものでもよい。
また、本実施形態では、端部保持部材１５を、入隅７を形成する既設壁パネル５，５のうちの一方の表面６に沿わせられた部位１９を厚さ方向に貫通させた止具８によって壁下地３に固定した構造としている。
【００１５】
また、端部保持部材１５は、本実施形態では、第１上貼壁パネル１０Ａの入隅側の端面１３と既設壁パネル５の表面６との間に配された第１端面片部１６を備えている。また、端部保持部材１５は、この第１端面片部１６に連なるように設けられ、第１上貼壁パネル１０Ａの入隅側の端部１２の表面１１と第２上貼壁パネル１０Ｂの入隅側の端面１３との間に配された第２端面片部１７を備えている。また、端部保持部材１５は、この第２端面片部１７に連なるように設けられ、第２上貼壁パネル１０Ｂの入隅側の端部１２の表面１１に当接された押さえ片部１８を備えている。また、端部保持部材１５は、第１端面片部１６に連なるように設けられ、第１上貼壁パネル１０Ａの入隅側の端部１２の裏面と既設壁パネル５の表面６との間に配された第３片部１９を備えている。
【００１６】
つまり、端部保持部材１５は、第１端面片部１６の第１上貼壁パネル１０Ａのパネル厚さ方向に沿う方向の両側端縁から第１上貼壁パネル１０Ａのパネル幅方向に沿う方向に向けて第２端面片部１７及び第３片部１９を延出させた構成とされている。つまりは、端部保持部材１５は、第１上貼壁パネル１０Ａのパネル幅方向に沿う方向に向けて開口する凹所を設けた構成とされ、長手方向（上下方向）に見て、略コ字状（略Ｕ字状）とされている。また、端部保持部材１５は、この凹所に第１上貼壁パネル１０Ａの入隅側の端部１２を受け入れる構成とされている。この凹所は、底側が第１端面片部１６に区画され、両側が第２端面片部１７及び第３片部１９に区画されている。
これら第１端面片部１６、第２端面片部１７、押さえ片部１８及び第３片部１９は、一連状（一体的）に形成され、それぞれ薄板状とされている。図例では、これら第１端面片部１６、第２端面片部１７、押さえ片部１８及び第３片部１９を、互いに略同厚さとしている。これら第１端面片部１６、第２端面片部１７、押さえ片部１８及び第３片部１９の厚さ寸法は、強度上や止具保持性の観点や、薄型化（軽量化）を図る観点等から適宜の寸法としてもよい。
【００１７】
第１端面片部１６の第１上貼壁パネル１０Ａのパネル厚さ方向に沿う方向の寸法（幅寸法）は、第１上貼壁パネル１０Ａの厚さ寸法に応じた寸法とされている。図例では、第１上貼壁パネル１０Ａの裏面が既設壁パネル５の表面６に当接するように、第１上貼壁パネル１０Ａの端部１２の裏面側に第３片部１９に応じた凹段部状の凹み部を設けた例を示している。また、第１端面片部１６の幅寸法を、この凹み部が設けられた第１上貼壁パネル１０Ａの端部１２の厚さに応じた寸法としている。なお、第１上貼壁パネル１０Ａの端部１２の凹み部は、第１上貼壁パネル１０Ａの端部１２に予め形成されたものでもよく、施工の際の圧縮変形等によって形成されたものでもよい。また、第１上貼壁パネル１０Ａの端部１２にこのような凹み部が形成される態様に代えて、第１上貼壁パネル１０Ａの裏面と既設壁パネル５の表面６との間に第３片部１９の厚さに応じた隙間が形成されるものでもよい。この場合は、第１上貼壁パネル１０Ａの裏面と既設壁パネル５の表面６との間に適宜のスペーサー等を設けてもよい。例えば、第１上貼壁パネル１０Ａを既設壁パネル５の表面６に固定する粘着材や接着剤等がスペーサーを構成するものでもよい。
【００１８】
第２端面片部１７の第１上貼壁パネル１０Ａのパネル幅方向に沿う方向の寸法（幅寸法）は、第２上貼壁パネル１０Ｂの厚さ寸法に応じた寸法とされている。この第２端面片部１７の幅寸法は、押さえ片部１８が第２上貼壁パネル１０Ｂの端部１２の表面１１に当接するように適宜の寸法とすればよい。
押さえ片部１８は、第２端面片部１７の延出方向先端部から第２上貼壁パネル１０Ｂのパネル幅方向に沿う方向に向けて突出するように設けられている。この押さえ片部１８は、第１端面片部１６が沿わせられた既設壁パネル５と第２端面片部１７とによって第２上貼壁パネル１０Ｂのパネル幅方向に沿う方向に向けて開口する凹所を区画する構成とされている。第２上貼壁パネル１０Ｂの入隅側の端部１２は、これら押さえ片部１８、既設壁パネル５及び第２端面片部１７によって区画された凹所に嵌め入れられた構成とされている。
【００１９】
この押さえ片部１８の第２上貼壁パネル１０Ｂのパネル幅方向に沿う方向の寸法（突出寸法）は、第２上貼壁パネル１０Ｂの入隅側の端部１２の保持が可能なように、また、小型化（軽量化）を図る観点や見栄え上の観点等から適宜の寸法としてもよい。図例では、この押さえ片部１８の突出寸法を、第２端面片部１７の幅寸法よりも小とした例を示している。なお、この押さえ片部１８の表面に、上貼壁パネル１０Ａ，１０Ｂの表面１１，１１に設けられる壁クロス等の壁仕上材の貼着性を向上すべくプライマー処理が施されたものとしてもよい。また、押さえ片部１８の表面に、壁仕上材の貼着前に平滑化のために塗布される充填材（パテ）の保持性を向上すべく粗面化処理が施されたものとしてもよい。また、押さえ片部１８の表面に、塗装等によって表面化粧処理が施されたものとしてもよい。
【００２０】
第３片部１９は、本実施形態では、当該端部保持部材１５を壁下地３に固定する止具８が貫通された構成とされている。つまり、厚さ方向に貫通させた止具８によって端部保持部材１５を壁下地３に固定する部位を、第３片部１９としている。この第３片部１９の第１上貼壁パネル１０Ａのパネル幅方向に沿う方向の寸法（幅寸法）は、第３片部１９を介して壁下地３に止具８の止着が可能なように適宜の寸法としてもよい。また、この第３片部１９の幅寸法は、第１上貼壁パネル１０Ａの入隅側の端部１２を受け入れる凹所の形成が可能なように、また、小型化（軽量化）を図る観点等から適宜の寸法としてもよい。図例では、この第３片部１９の幅寸法を、第２端面片部１７の幅寸法と略同寸法とした例を示している。なお、この第３片部１９を厚さ方向に貫通させる止具８の止着操作が可能なように、第２端面片部１７に止具８や治具の挿通孔を設けたり、第２端面片部１７及び押さえ片部１８に切欠部を設けたりしてもよい。
また、端部保持部材１５は、金属系材料や合成樹脂系材料等から形成されたものでもよく、また、射出成形や押出成形等によって一体的に形成されたものでもよい。
【００２１】
次に、上記構成とされた端部保持部材１５を用いた上貼壁パネル１０（１０Ａ，１０Ｂ）の施工手順の一例について説明する。
まず、図２（ａ）に示すように、端部保持部材１５を入隅７において直交状とされた既設壁パネル５，５の表面６，６に沿わせるように当接させ、止具８によって壁下地（図例では、入隅７における一方の受桟）３に固定する。つまり、端部保持部材１５の第１端面片部１６を、入隅７を形成する既設壁パネル５，５のうちの一方の既設壁パネル５の表面６に当接させ、第３片部１９を、他方の既設壁パネル５の表面６に当接させ、止具８によって壁下地３に固定する。なお、この端部保持部材１５を壁下地３に固定する止具８は、上下方向に間隔を空けて複数箇所に止着するようにしてもよい。また、端部保持部材１５を仮止めする粘着材等を設けた構成としてもよい。
【００２２】
そして、図２（ａ）、（ｂ）に示すように、第１端面片部１６、第２端面片部１７及び第３片部１９によって区画された端部保持部材１５の凹所に第１上貼壁パネル１０Ａの入隅側の端部１２を嵌め入れ、この端部１２を端部保持部材１５に保持させる。また、図２（ｂ）に示すように、第２上貼壁パネル１０Ｂの入隅側の端部１２を、押さえ片部１８、既設壁パネル５及び第２端面片部１７によって区画された凹所に嵌め入れ、この第２上貼壁パネル１０Ｂの端部１２を端部保持部材１５に保持させる。また、これら上貼壁パネル１０Ａ，１０Ｂの入隅側とは異なる側のパネル幅方向の端部を、適宜の壁下地（図例では、間柱）４に適宜の止具によって固定する（図１参照）。また、これら上貼壁パネル１０Ａ，１０Ｂの表面１１，１１に、必要に応じて壁クロス等の壁仕上材を設けるようにしてもよい。
【００２３】
なお、上記施工手順は、一例に過ぎず、種々の変形が可能である。また、各上貼壁パネル１０（１０Ａ，１０Ｂ）の上下端部を押さえるように保持する上下端部押さえ部材を天井側や床側に設けた構造としてもよい。または、各上貼壁パネル１０（１０Ａ，１０Ｂ）の上下端部を、天井側や床側に設けられた受桟等の適宜の壁下地に止具によって固定するようにしてもよい。また、各上貼壁パネル１０（１０Ａ，１０Ｂ）の裏面を、粘着材や接着剤を用いて既設壁パネル５，５の表面６，６に固定するようにしてもよい。また、各上貼壁パネル１０（１０Ａ，１０Ｂ）の上下方向途中部位を、壁幅方向に延びるように設けられた受桟等の適宜の壁下地に止具によって固定するようにしてもよい。各上貼壁パネル１０（１０Ａ，１０Ｂ）の全体の取付構造としては、その他、種々の変形が可能である。
【００２４】
本実施形態に係るパネル端部保持構造１は、上述のような構成としたことで、大掛かりな作業を要することなく新たな壁パネル（上貼壁パネル）１０を施工可能でありながらも、上貼壁パネル１０の入隅側の端部１２を安定的に保持することができる。
つまり、建物の入隅７を形成する既設壁パネル５，５の各表面６，６に沿わせて上貼壁パネル１０（１０Ａ，１０Ｂ）を配した構造としている。従って、断熱性や遮音性等の種々の機能性を付与したり、模様替え等を行うために既設壁パネル５，５を撤去して新たに壁パネルを設置した構造と比べて、大掛かりな作業が不要となる。
また、端部保持部材１５に、一方の上貼壁パネル（第１上貼壁パネル）１０Ａの入隅側の端部１２の表面１１に入隅側の端面１３を対向させるように配された他方の上貼壁パネル（第２上貼壁パネル）１０Ｂの入隅側の端部１２を保持させた構造としている。従って、少なくとも第２上貼壁パネル１０Ｂの入隅側の端部１２を、入隅７の壁下地３に止具８によって固定された端部保持部材１５に安定的に保持させることができる。
【００２５】
また、本実施形態では、端部保持部材１５を、入隅７を形成する既設壁パネル５，５のうちの一方の既設壁パネル５の表面６に沿わせられた部位としての第３片部１９を厚さ方向に貫通させた止具８によって壁下地３に固定した構造としている。従って、止具８を斜め打ち等して端部保持部材１５を固定したものと比べて端部保持部材１５を安定的に固定することができる。
【００２６】
また、本実施形態では、端部保持部材１５を、第１端面片部１６と第２端面片部１７と押さえ片部１８とを備えた構成としている。従って、第１上貼壁パネル１０Ａの入隅側の端部１２を、端部保持部材１５の第２端面片部１７によって安定的に保持することができる。また、第２上貼壁パネル１０Ｂの入隅側の端部１２を、端部保持部材１５の押さえ片部１８によって安定的に保持することができる。また、各上貼壁パネル１０Ａ，１０Ｂの入隅側の端部１２，１２を固定する止具を不要とすることもできる。
また、本実施形態では、端部保持部材１５を、これら第１端面片部１６、第２端面片部１７及び押さえ片部１８に加え、第３片部１９を備えた構成としている。従って、第１端面片部１６及び第３片部１９を、入隅７を形成する既設壁パネル５，５の各表面６，６に沿わせて固定することができ、このような第３片部１９を設けていないものと比べて、端部保持部材１５を安定的に固定することができる。
【００２７】
次に、本発明に係る他の実施形態について、図面を参照しながら説明する。
図３は、第２実施形態に係るパネル端部保持構造の一例を模式的に示す図である。
なお、上記第１実施形態との相違点について主に説明し、同様の構成については、同一の符号を付し、その説明を省略または簡略に説明する。
【００２８】
本実施形態に係るパネル端部保持構造１Ａは、図３に示すように、端部保持部材１５Ａの構成が上記第１実施形態とは主に異なる。
本実施形態では、図３（ａ）に示すように、端部保持部材１５Ａを、入隅７を形成する既設壁パネル５，５の各表面６，６に沿わせられた片部としての第１片部１６Ａ及び第２片部１７Ａを有した構造としている。また、図３（ｂ）に示すように、第１上貼壁パネル１０Ａの入隅側の端部１２を、止具９によって端部保持部材１５Ａの一方の片部としての第１片部１６Ａに固定した構造とされている。また、図３（ｃ）に示すように、第２上貼壁パネル１０Ｂの入隅側の端部１２を、止具９によって端部保持部材１５Ａの他方の片部としての第２片部１７Ａに固定した構造とされている。この端部保持部材１５Ａは、第１上貼壁パネル１０Ａの端部１２の裏面と既設壁パネル５の表面６との間に配された第１片部１６Ａと、第２上貼壁パネル１０Ｂの端部１２の裏面と既設壁パネル５の表面６との間に配された第２片部１７Ａと、を備えている。
【００２９】
また、これら第１片部１６Ａと第２片部１７Ａとは、一連状（一体的）に形成され、それぞれ薄板状とされている。これら第１片部１６Ａと第２片部１７Ａとを互いに略直交状に設けた端部保持部材１５Ａは、長手方向に見て略Ｌ字状とされている。
また、第１片部１６Ａの第１上貼壁パネル１０Ａのパネル幅方向に沿う方向の寸法（幅寸法）は、第１上貼壁パネル１０Ａの端部１２の保持が可能なように、また、小型化（軽量化）を図る観点等から適宜の寸法としてもよい。図例では、この第１片部１６Ａの幅寸法を、上貼壁パネル１０（１０Ａ，１０Ｂ）の厚さ寸法と略同寸法とした例を示している。
また、第２片部１７Ａは、第１片部１６Ａに第１上貼壁パネル１０Ａの端部１２を固定した状態で、この第１上貼壁パネル１０Ａの表面１１から第１上貼壁パネル１０Ａの厚さ方向に突出した部位を有している。また、この第２片部１７Ａの突出した部位に、第２上貼壁パネル１０Ｂの端部１２を止具９によって固定した構造としている。
【００３０】
この第２片部１７Ａの第２上貼壁パネル１０Ｂのパネル幅方向に沿う方向の寸法（幅寸法）は、第２上貼壁パネル１０Ｂの端部１２の保持が可能なように、また、小型化（軽量化）を図る観点等から適宜の寸法としてもよい。また、この第２片部１７Ａの幅寸法は、上記のように第１上貼壁パネル１０Ａの表面１１から第１上貼壁パネル１０Ａの厚さ方向に突出した部位に、第２上貼壁パネル１０Ｂの端部１２を止具９によって固定可能なように適宜の寸法としてもよい。つまり、この第２片部１７Ａの幅寸法は、第１上貼壁パネル１０Ａの厚さ寸法よりも大とし、突出した部位に止具９の止着が可能な寸法とすればよい。図例では、この第２片部１７Ａの幅寸法を、第１片部１６Ａの幅寸法よりも大とした例を示しているが、このような態様に限られない。例えば、上記した第１片部１６Ａの幅寸法を、第２片部１７Ａの幅寸法と略同寸法としてもよい。これによれば、第１片部１６Ａ及び第２片部１７Ａの区別を要することなく端部保持部材１５Ａを壁下地３に固定することができる。
【００３１】
また、本実施形態においても、第１上貼壁パネル１０Ａの裏面が既設壁パネル５の表面６に当接するように、第１上貼壁パネル１０Ａの端部１２の裏面側に第１片部１６Ａに応じた凹み部を設けた例を示している。また、第２上貼壁パネル１０Ｂの裏面が既設壁パネル５の表面６に当接するように、第２上貼壁パネル１０Ｂの端部１２の裏面側に第２片部１７Ａの突出した部位に応じた凹み部を設けた例を示している。これら上貼壁パネル１０Ａ，１０Ｂの裏面側の凹み部は、上記同様、予め形成されたものでもよく、施工の際の圧縮変形等によって形成されたものでもよい。また、上記のように、このような凹み部が形成されない態様としてもよい。
また、本実施形態においても、この端部保持部材１５Ａを、入隅７を形成する既設壁パネル５，５のうちの一方の表面６に沿わせられた部位としての一方の片部（図例では、第２片部）１７Ａを厚さ方向に貫通させた止具８によって壁下地３に固定した構造としている。
【００３２】
次に、上記構成とされた端部保持部材１５Ａを用いた上貼壁パネル１０（１０Ａ，１０Ｂ）の施工手順の一例について説明する。なお、上記した施工手順の一例と同様の構成については、その説明を省略または簡略に説明する。
まず、図３（ａ）に示すように、上記同様、端部保持部材１５Ａを、入隅７を形成する既設壁パネル５，５の表面６，６に沿わせるように当接させ、止具８によって壁下地（図例では、入隅７における一方の受桟）３に固定する。そして、図３（ａ）、（ｂ）に示すように、端部保持部材１５Ａの第２片部１７Ａに第１上貼壁パネル１０Ａの入隅側の端面１３を当接させ、この第１上貼壁パネル１０Ａの入隅側の端部１２を第１片部１６Ａに重ね合わせる。また、この第１上貼壁パネル１０Ａの入隅側の端部１２を貫通させて止具９を第１片部１６Ａに止着し、この第１上貼壁パネル１０Ａの端部１２を端部保持部材１５Ａに保持させる。この状態では、端部保持部材１５Ａの第２片部１７Ａが第１上貼壁パネル１０Ａの表面１１から第１上貼壁パネル１０Ａの厚さ方向に沿って突出した状態となる。
【００３３】
また、図３（ｃ）に示すように、第２上貼壁パネル１０Ｂの入隅側の端面１３を、第１上貼壁パネル１０Ａの入隅側の端部１２の表面１１に当接させ、この第２上貼壁パネル１０Ｂの入隅側の端部１２を第２片部１７Ａの突出した部位に重ね合わせる。また、この第２上貼壁パネル１０Ｂの入隅側の端部１２を貫通させて止具９を第２片部１７Ａに止着し、この第２上貼壁パネル１０Ｂの端部１２を端部保持部材１５Ａに保持させるようにしてもよい。なお、各上貼壁パネル１０（１０Ａ，１０Ｂ）の端部１２，１２を端部保持部材１５Ａの各片部１６Ａ，１７Ａに固定する止具９，９は、上下方向に間隔を空けて複数箇所に止着するようにしてもよい。また、図例では、端部保持部材１５Ａを、第２片部１７Ａを厚さ方向に貫通させた止具８によって壁下地３に固定した構造としているが、このような態様に限られない。端部保持部材１５Ａを、第２片部１７Ａに代えて、または加えて、第１片部１６Ａを厚さ方向に貫通させた止具８によって壁下地３に固定した構造としてもよい。また、例えば、第１上貼壁パネル１０Ａの入隅側の端部１２を第１片部１６Ａに固定する止具９を、端部保持部材１５Ａを壁下地３に固定する止具として把握するようにしてもよい。
【００３４】
上記構成とされた本実施形態に係るパネル端部保持構造１Ａにおいても、上記第１実施形態と概ね同様の効果を奏する。
また、本実施形態では、第１上貼壁パネル１０Ａの入隅側の端部１２を止具９によって端部保持部材１５Ａの一方の片部（第１片部）１６Ａに固定し、第２上貼壁パネル１０Ｂの入隅側の端部１２を止具９によって端部保持部材１５Ａの他方の片部（第２片部）１７Ａに固定した構造としている。従って、新たな入隅７を形成する各上貼壁パネル１０（１０Ａ，１０Ｂ）の入隅側の端部１２，１２を、端部保持部材１５Ａの各片部１６Ａ，１７Ａによって安定的に保持させることができる。
【００３５】
次に、本発明に係る更に他の実施形態について、図面を参照しながら説明する。
図４は、第３実施形態に係るパネル端部保持構造の一例を模式的に示す図である。
なお、上記各実施形態との相違点について主に説明し、同様の構成については、同一の符号を付し、その説明を省略または簡略に説明する。
【００３６】
本実施形態に係るパネル端部保持構造１Ｂは、図４に示すように、端部保持部材１５Ｂの構成が上記各実施形態とは主に異なる。
本実施形態では、図４（ａ）に示すように、端部保持部材１５Ｂを、入隅７を形成する既設壁パネル５，５のうちの一方の既設壁パネル５の表面６に沿わせられた帯板状とされたものとしている。また、本実施形態では、このように帯板状とされた端部保持部材１５Ｂ自体を厚さ方向に貫通させた止具８によって壁下地３に固定した構造としている。つまり、本実施形態では、端部保持部材１５Ｂ自体を、入隅７を形成する既設壁パネル５，５のうちの一方の既設壁パネル５の表面６に沿わせられた部位としている。
【００３７】
また、この端部保持部材１５Ｂは、第１上貼壁パネル１０Ａの入隅側の端面１３と既設壁パネル５の表面６との間に配されている。また、本実施形態では、第１上貼壁パネル１０Ａの入隅側の端部１２を、端部保持部材１５Ｂを介することなく壁下地３に止具９によって固定した構造としている。また、端部保持部材１５Ｂは、上記第２実施形態における第２片部１７Ａと概ね同様、第１上貼壁パネル１０Ａの端部１２を固定した状態で、この第１上貼壁パネル１０Ａの表面１１から第１上貼壁パネル１０Ａの厚さ方向に突出した部位を有している。また、この端部保持部材１５Ｂの突出した部位に、第２上貼壁パネル１０Ｂの端部１２を止具９によって固定した構造としている。この端部保持部材１５Ｂの第２上貼壁パネル１０Ｂのパネル幅方向に沿う方向の寸法（幅寸法）は、上記第２実施形態における第２片部１７Ａの幅寸法と同様の幅寸法としてもよい。つまり、端部保持部材１５Ｂの幅寸法を、第１上貼壁パネル１０Ａの表面１１から第１上貼壁パネル１０Ａの厚さ方向に突出した部位に、第２上貼壁パネル１０Ｂの端部１２を止具９によって固定可能なように適宜の寸法としてもよい。また、上記同様、第２上貼壁パネル１０Ｂの裏面が既設壁パネル５の表面６に当接するように、第２上貼壁パネル１０Ｂの端部１２の裏面側に端部保持部材１５Ｂの突出した部位に応じた凹み部を設けた例を示している。
【００３８】
次に、上記構成とされた端部保持部材１５Ｂを用いた上貼壁パネル１０（１０Ａ，１０Ｂ）の施工手順の一例について説明する。なお、上記した施工手順の一例と同様の構成については、その説明を省略または簡略に説明する。
まず、図４（ａ）に示すように、入隅７を形成する既設壁パネル５，５のうちの一方の既設壁パネル５の表面６に沿わせるように端部保持部材１５Ｂを当接させ、止具８によって壁下地（図例では、入隅７における一方の受桟）３に固定する。そして、図４（ａ）、（ｂ）に示すように、端部保持部材１５Ｂに第１上貼壁パネル１０Ａの入隅側の端面１３を当接させ、この第１上貼壁パネル１０Ａの入隅側の端部１２を止具９によって壁下地（図例では、入隅７における他方の受桟）３に固定する。また、図４（ｃ）に示すように、第２上貼壁パネル１０Ｂの入隅側の端面１３を、第１上貼壁パネル１０Ａの入隅側の端部１２の表面１１に当接させ、この第２上貼壁パネル１０Ｂの入隅側の端部１２を端部保持部材１５Ｂの突出した部位に重ね合わせる。また、この第２上貼壁パネル１０Ｂの入隅側の端部１２を貫通させて止具９を端部保持部材１５Ｂに止着し、この第２上貼壁パネル１０Ｂの端部１２を端部保持部材１５Ｂに保持させるようにしてもよい。
【００３９】
上記構成とされた本実施形態に係るパネル端部保持構造１Ｂにおいても、上記した各実施形態と概ね同様の効果を奏する。
また、本実施形態では、端部保持部材１５Ｂを、帯板状とされたものとしているので、端部保持部材１５Ｂの構造の簡略化を図ることができる。
なお、上記では、第１上貼壁パネル１０Ａの入隅側の端部１２を止具９によって壁下地３に固定した例を示しているが、止具９によって固定していない態様としてもよい。このような構造とした場合にも、第１上貼壁パネル１０Ａの入隅側の端部１２を、端部保持部材１５Ｂに入隅側の端部１２が保持された第２上貼壁パネル１０Ｂによって保持させることができる。
【００４０】
次に、本発明に係る更に他の実施形態について、図５を参照しながら説明する。
なお、以下の各実施形態では、上記した各実施形態との相違点について主に説明し、同様の構成については、同一の符号を付し、その説明を省略または簡略に説明する。また、同様の施工手順についても説明を省略する。
【００４１】
図５（ａ）は、第４実施形態に係るパネル端部保持構造の一例を模式的に示す図である。
本実施形態に係るパネル端部保持構造１Ｃは、図５（ａ）に示すように、端部保持部材１５の固定態様が上記第１実施形態とは主に異なる。
本実施形態では、端部保持部材１５の第１端面片部１６に、当該端部保持部材１５を壁下地３に固定する止具８を貫通させた構成としている。つまり、厚さ方向に貫通させた止具８によって端部保持部材１５を壁下地３に固定する部位を、第１端面片部１６としている。また、図例では、端部保持部材１５を上記第１実施形態とは異なる側に開口させるように配設した例を示している。
上記構成とされた本実施形態に係るパネル端部保持構造１Ｃにおいても、上記第１実施形態と概ね同様の効果を奏する。また、本実施形態では、上記第１実施形態において説明したような挿通孔や切欠部を第２端面片部１７に設ける必要がなく、端部保持部材１５の構造の簡略化を図ることができる。
【００４２】
図５（ｂ）は、第５実施形態に係るパネル端部保持構造の一例を模式的に示す図である。
本実施形態に係るパネル端部保持構造１Ｄは、図５（ｂ）に示すように、端部保持部材１５の固定態様が上記第１実施形態及び第４実施形態とは主に異なる。
本実施形態では、端部保持部材１５を、入隅７を形成する既設壁パネル５，５の各表面６，６に沿わせられた片部としての第１端面片部１６及び第３片部１９に対して斜め状にコーナー部を貫通させた止具８によって壁下地２に固定した構造としている。つまり、端部保持部材１５を固定する止具８を、第１端面片部１６と第３片部１９とのコーナー部に貫通させた構造としている。図例では、止具８を、上下方向に見て、第１端面片部１６及び第３片部１９に対して略４５度傾斜させて止着した例を示している。また、壁下地２を、上記のような受桟を設けていない柱とし、この柱に止具８を止着した例を示している。
上記構成とされた本実施形態に係るパネル端部保持構造１Ｄにおいても、上記第１実施形態と概ね同様の効果を奏する。また、本実施形態では、端部保持部材１５のいずれかの片部１６，１９を厚さ方向に貫通させた止具８を入隅７の壁下地２に止着し難いような場合にも、適用可能となる。つまり、壁下地２が上記のように受桟を設けていない柱である場合や、受桟の壁幅方向に沿う寸法が小さいような場合にも、端部保持部材１５を壁下地２に固定することができる。
【００４３】
図５（ｃ）は、第６実施形態に係るパネル端部保持構造の一例を模式的に示す図である。
本実施形態に係るパネル端部保持構造１Ｅは、図５（ｃ）に示すように、端部保持部材１５Ａの固定態様が上記第２実施形態とは主に異なる。
本実施形態では、上記第５実施形態と概ね同様、端部保持部材１５Ａを、入隅７を形成する既設壁パネル５，５の各表面６，６に沿わせられた片部としての第１片部１６Ａ及び第２片部１７Ａに対して斜め状にコーナー部を貫通させた止具８によって壁下地２に固定した構造としている。
上記構成とされた本実施形態に係るパネル端部保持構造１Ｅにおいても、上記第２実施形態及び第５実施形態と概ね同様の効果を奏する。
【００４４】
なお、上記各実施形態に係るパネル端部保持構造１，１Ａ〜１Ｅにおける互いに異なる構成を、適宜、組み替えたり、組み合わせたりして適用するようにしてもよい。
また、上記第１実施形態及び第４実施形態において用いられる端部保持部材１５としては、第３片部１９を備えていない略Ｚ字状とされたものとしてもよい。また、上記各実施形態に係るパネル端部保持構造１，１Ａ〜１Ｅとしては、その他、種々の変形が可能である。
【符号の説明】
【００４５】
１，１Ａ〜１Ｅ  パネル端部保持構造
２              柱（入隅における既設壁パネルの壁下地）
３              受桟（入隅における既設壁パネルの壁下地）
５              既設壁パネル
６              表面
７              入隅
８，９          止具
１０            上貼壁パネル
１０Ａ          第１上貼壁パネル（一方の上貼壁パネル）
１０Ｂ          第２上貼壁パネル（他方の上貼壁パネル）
１１            表面
１２            端部（入隅側の端部）
１３            端面（入隅側の端面）
１５，１５Ａ    端部保持部材
１５Ｂ          端部保持部材（表面に沿わせられた部位）
１６            第１端面片部（表面に沿わせられた片部）
１６Ａ          第１片部（表面に沿わせられた片部）
１７            第２端面片部
１７Ａ          第２片部（表面に沿わせられた片部）
１８            押さえ片部
１９            第３片部（表面に沿わせられた片部）
【図１】
2018053576.tif 000003
【図２】
2018053576.tif 000004
【図３】
2018053576.tif 000005
【図４】
2018053576.tif 000006
【図５】
2018053576.tif 000007